(57)【要約】【課題】作業時に延長整地体が折畳非作業状態に戻ってしまうのを防止できる農作業機を提供する。【解決手段】農作業機11は、耕耘作業をする耕耘体18と、この耕耘体18の後方で整地作業をする整地体23とを備える。この整地体23には、延長整地体31を回動支点を中心として回動可能に設ける。この延長整地体31を展開作業状態および折畳非作業状態となるように付勢する引張ばね32を取り付ける。引張ばね32の整地体側取付部は、延長整地体31の展開作業状態時には回動支点よりも外側方に位置し、延長整地体31の折畳非作業状態時には前記回動支点よりも内側方に位置する。【選択図】図１
2015202100.tif 000002
【特許請求の範囲】
【請求項１】
耕耘作業をする耕耘体と、
この耕耘体の後方で整地作業をする整地体と、
この整地体に回動支点を中心として回動可能に設けられ、一方向への回動により展開作業状態となり、他方向への回動により折畳非作業状態となる延長整地体と、
前記整地体に取り付けられた整地体側取付部および前記延長整地体に取り付けられた延長整地体側取付部を有し、前記延長整地体を展開作業状態および折畳非作業状態となるように付勢する付勢体とを備え、
前記付勢体の前記整地体側取付部は、前記延長整地体の展開作業状態時には前記回動支点よりも外側方に位置し、前記延長整地体の折畳非作業状態時には前記回動支点よりも内側方に位置する
ことを特徴とする農作業機。
【請求項２】
整地体は、孔部を有し、
付勢体の整地体側取付部は、前記孔部に移動可能に挿入されている
ことを特徴とする請求項１記載の農作業機。
【請求項３】
整地体の孔部は、多角孔形状に形成されている
ことを特徴とする請求項２記載の農作業機。
【請求項４】
整地体の多角孔形状の孔部は、
回動支点よりも外側方に位置する外側方側角部と、
前記回動支点よりも内側方に位置する内側方側角部とを有する
ことを特徴とする請求項３記載の農作業機。
【請求項５】
整地体の孔部は、長孔形状に形成されている
ことを特徴とする請求項２記載の農作業機。
【請求項６】
展開作業状態の延長整地体の外端下限位置が調整可能となっている
ことを特徴とする請求項１ないし５のいずれか一記載の農作業機。
【請求項７】
付勢体は、少なくとも延長整地体が展開作業状態から起立姿勢の状態になるまでの間の範囲で、支点越えしないようになっている
ことを特徴とする請求項１ないし６のいずれか一記載の農作業機。
【発明の詳細な説明】
【技術分野】
【０００１】
本発明は、作業時に延長整地体が折畳非作業状態に戻ってしまうのを防止できる農作業機に関するものである。
【背景技術】
【０００２】
従来、例えば下記の特許文献１に記載された農作業機が知られている。
【０００３】
この従来の農作業機は、例えば図１１に示すような構成を備えたものである。つまり、この図１１に示す農作業機は、耕耘作業をする耕耘体（図示せず）と、この耕耘体の後方で整地作業をする整地体１と、この整地体１に回動支点Ｐを中心として回動可能に設けられ一方向への回動により展開作業状態となり他方向への回動により折畳非作業状態となる延長整地体２と、この延長整地体２を展開作業状態および折畳非作業状態となるように付勢する付勢体である引張ばね３とを備えている。
【０００４】
また、引張ばね３は、その一端部である整地体側取付部3aが整地体１のばね取付板５の円形孔部６に挿入されて取り付けられ、かつ、その他端部である延長整地体側取付部3bが延長整地体２のばね取付板７の円形孔部８に挿入されて取り付けられている。
【０００５】
なお、引張ばね３の整地体側取付部3aは、常に回動支点Ｐよりも内側方に位置しており、この引張ばね３が支点越えする際の傾斜角度αは略４５度である。
【先行技術文献】
【特許文献】
【０００６】
【特許文献１】特開２０１０−８１８９３号公報
【発明の概要】
【発明が解決しようとする課題】
【０００７】
しかしながら、上記従来の農作業機では、例えば作業時において展開作業状態の延長整地体２が比較的大きな土塊に当たった際に、引張ばね３が支点越えしてしまい、延長整地体２が折畳非作業状態に戻ってしまう場合がある。
【０００８】
本発明は、このような点に鑑みなされたもので、作業時に延長整地体が折畳非作業状態に戻ってしまうのを防止できる農作業機を提供することを目的とする。
【課題を解決するための手段】
【０００９】
請求項１記載の農作業機は、耕耘作業をする耕耘体と、この耕耘体の後方で整地作業をする整地体と、この整地体に回動支点を中心として回動可能に設けられ、一方向への回動により展開作業状態となり、他方向への回動により折畳非作業状態となる延長整地体と、前記整地体に取り付けられた整地体側取付部および前記延長整地体に取り付けられた延長整地体側取付部を有し、前記延長整地体を展開作業状態および折畳非作業状態となるように付勢する付勢体とを備え、前記付勢体の前記整地体側取付部は、前記延長整地体の展開作業状態時には前記回動支点よりも外側方に位置し、前記延長整地体の折畳非作業状態時には前記回動支点よりも内側方に位置するものである。
【００１０】
請求項２記載の農作業機は、請求項１記載の農作業機において、整地体は、孔部を有し、付勢体の整地体側取付部は、前記孔部に移動可能に挿入されているものである。
【００１１】
請求項３記載の農作業機は、請求項２記載の農作業機において、整地体の孔部は、多角孔形状に形成されているものである。
【００１２】
請求項４記載の農作業機は、請求項３記載の農作業機において、整地体の多角孔形状の孔部は、回動支点よりも外側方に位置する外側方側角部と、前記回動支点よりも内側方に位置する内側方側角部とを有するものである。
【００１３】
請求項５記載の農作業機は、請求項２記載の農作業機において、整地体の孔部は、長孔形状に形成されているものである。
【００１４】
請求項６記載の農作業機は、請求項１ないし５のいずれか一記載の農作業機において、展開作業状態の延長整地体の外端下限位置が調整可能となっているものである。
【００１５】
請求項７記載の農作業機は、請求項１ないし６のいずれか一記載の農作業機において、付勢体は、少なくとも延長整地体が展開作業状態から起立姿勢の状態になるまでの間の範囲で、支点越えしないようになっているものである。
【発明の効果】
【００１６】
本発明によれば、例えば作業時において展開作業状態の延長整地体が比較的大きな土塊に当たっても付勢体が支点越えをしないため、作業時に延長整地体が折畳非作業状態に戻ってしまうのを防止できる。
【図面の簡単な説明】
【００１７】
【図１】本発明の第１の実施の形態に係る農作業機の側面図である。
【図２】同上農作業機の部分平面図である。
【図３】（ａ）が同上農作業機の部分背面図であり、（ｂ）が整地体のばね取付板の孔部を示す図である。
【図４】同上農作業機の部分背面図である。
【図５】同上農作業機の部分背面図である。
【図６】同上農作業機の部分背面図である。
【図７】本発明の第２の実施の形態に係る農作業機の部分背面図である。
【図８】同上農作業機の部分背面図である。
【図９】同上農作業機の部分背面図である。
【図１０】本発明の第３の実施の形態に係る農作業機の部分背面図である。
【図１１】従来の農作業機の部分背面図である。
【発明を実施するための形態】
【００１８】
本発明の第１の実施の形態について図１ないし図６を参照して説明する。
【００１９】
図１において、11は農作業機で、この農作業機11は、例えば走行車であるトラクタ（図示せず）の後部に連結され、このトラクタの前進走行により圃場を前方（進行方向）に移動しながら耕耘整地作業等をするものである。
【００２０】
農作業機11は、図１に示されるように、トラクタの後部の３点リンク部（作業機昇降支持装置）に脱着可能に連結される機体12を備えている。
【００２１】
機体12は、前後方向の入力軸13が前方に向かって回転可能に突設されたミッションケース部14を左右方向中央部に有している。なお、入力軸13は、トラクタのＰＴＯ軸にジョイント等の動力伝達手段を介して接続され、そのＰＴＯ軸の回転時に回転してトラクタ側からの動力を農作業機11側へ入力する。
【００２２】
ミッションケース部14の左右両側には、左右方向長手状で円筒状をなす主フレーム部であるフレームパイプ部15の内端部が取り付けられている。これら左右１対のフレームパイプ部15のうちの左側のフレームパイプ部15の外端部である左端部には伝動ケース部であるチェーンケース部16の上部が取り付けられ、右側のフレームパイプ部15の外端部である右端部には板状のブラケット部（図示せず）の上部が取り付けられている。
【００２３】
そして、互いに左右に離間対向するチェーンケース部16の下部およびブラケット部の下部間には、所定方向に回転しながら耕耘作業をするロータリ式の耕耘体18が回転可能に架設されている。つまり、機体12には、耕耘作業をする耕耘体18が回転可能に設けられている。
【００２４】
耕耘体18は、入力軸13側からの動力で所定方向に回転する左右方向の耕耘軸19と、この耕耘軸19に脱着可能に取り付けられ耕耘作業をする複数の耕耘爪20とを有している。耕耘軸19は、その左端部がチェーンケース部16の下部にて回転可能に支持され、かつ、その右端部がブラケット部の下部にて回転可能に支持されている。
【００２５】
また、耕耘体18の上方には、この耕耘体18の上方部を覆う板状の耕耘カバー体21が配設されている。耕耘カバー体21は、例えば上方に向かって凸の湾曲板状に形成され、機体12に対して固定されている。
【００２６】
そして、耕耘カバー体21の後端部には、耕耘体18の後方で所望の作業角度をもって整地作業する板状の整地体（均平板）23が蝶番24を介して上下方向に回動可能に設けられている。この整地体23の接地圧は、機体12と整地体23との間に架設された接地圧調整手段26によって調整可能となっている。
【００２７】
また、整地体23の左右方向両端部には、一方向である開方向への回動（回動角度は例えば略１８０度）により整地体23から外側方に向かって突出状に位置して整地作業をする展開作業状態となり、他方向である閉方向への回動（回動角度は例えば略１８０度）により整地体23上に位置する折畳非作業状態となる板状の延長整地体（延長均平板）31が回動支点Ｐを中心として回動可能に設けられている。
【００２８】
つまり、整地体23の左右の各側端部には、作業者が手動で展開作業状態および折畳非作業状態に選択的に切り換え可能な延長整地体31が前後方向の回動中心軸線（回動支点Ｐを通る線）Ｘを中心として上下方向に回動可能に設けられている（図２参照）。
【００２９】
さらに、これら整地体23と延長整地体31との間には、延長整地体31をこの延長整地体31が展開作業状態および折畳非作業状態となるように付勢する弾性変形可能な円筒コイル状の付勢体である引張ばね32が設けられている。
【００３０】
引張ばね32は、その一端部であるＣ字状の整地体側取付部33が整地体23の孔部（取付孔部）36に移動可能に挿入されて取り付けられ、かつ、その他端部であるＣ字状の延長整地体側取付部34が延長整地体31の円形孔部37に挿入されて取り付けられている。
【００３１】
そして、引張ばね32の整地体側取付部33は、回動支点Ｐを中心とする延長整地体31の整地体23に対する回動に応じて、回動支点Ｐを基準とする外側方位置および内側方位置間で移動するように、整地体23の孔部36内で移動可能となっている。
【００３２】
このため、引張ばね32の整地体側取付部33は、延長整地体31の展開作業状態時には回動支点Ｐよりも外側方に位置し（図３参照）、延長整地体31の折畳非作業状態時には回動支点Ｐよりも内側方に位置する（図５参照）。
【００３３】
また、引張ばね32が支点越えする際における水平方向に対する傾斜角度βは、９０度以上で、例えば略１０５度である（図４参照）。つまり、この引張ばね32は、少なくとも延長整地体31が展開作業状態から起立姿勢の状態（βが９０度の状態）になるまでの間の範囲で、支点越えしないようになっている。
【００３４】
さらに、図４中の支点越え線Ａは、整地体側取付部33の点と延長整地体側取付部34の点とを結んだラインが回動支点Ｐ上にある線である。そして、引張ばね32は、支点越え線Ａに位置する支点越え時に最も伸びた状態（最長状態）となり、支点越えによって付勢の向きが異なる。つまり、引張ばね32は、支点越えに基づいて、延長整地体31を展開作業状態に保持するように付勢する状態と延長整地体31を折畳非作業状態に保持するように付勢する状態とに切り換わる。
【００３５】
ここで、整地体23は、図１ないし図６に示されるように、整地作業をする左右方向長手状で略矩形状をなす整地本体板41を有している。整地本体板41の左右方向両端部には、整地側板42がそれぞれ立設されている。
【００３６】
各整地側板42の後部内側面には、前板部43および後板部44を有する略コ字状の取付部材45が取付具（例えばボルトおよびナット）46によって取り付けられている。取付部材45の前後方向中央部には、ばね取付板47が内側方に向かって突出するように固設されている。
【００３７】
ばね取付板（ばね掛け板）47は、多角孔形状、すなわち例えば三角孔形状に形成された孔部36を有し、この孔部36に引張ばね32の基端部である整地体側取付部33が挿入されて引っ掛けられている。
【００３８】
孔部36は、ばね取付板47の前後面に貫通した孔空間部分51と、この孔空間部分51の周囲に位置する孔周囲部分52とにて構成されている。この孔周囲部分52は、図３（ｂ）に示すように、それぞれ円弧状に形成された第１角部53、第２角部54および第３角部55を有している。
【００３９】
また、第１角部53および第２角部54間に急勾配の傾斜状の第１辺部56が位置し、第２角部54および第３角部55間に第２角部54側から第３角部55側に向かって僅かに下り傾斜した傾斜状の上辺部である第２辺部57が位置し、第１角部53および第３角部55間に緩勾配の傾斜状の第３辺部58が位置している。なお、上辺部である第２辺部57が水平状であってもよい。
【００４０】
そして、第１角部53が背面視で回動支点Ｐよりも外側方に位置する外側方側角部であり、第３角部55が背面視で回動支点Ｐよりも内側方に位置する内側方側角部である。また、第２角部54が背面視で回動支点Ｐと一致（略一致を含む）する中間角部である。
【００４１】
一方、延長整地体31は、この延長整地体31の展開作業状態時に整地作業をする湾曲板状の延長整地本体板61を有している。延長整地本体板61の上面には、取付部材62が溶接等によって固設されている。
【００４２】
取付部材62は、互いに離間対向する前板部63および後板部64を有し、これら前板部63と後板部64とが連結板部65にて互いに連結されている。なお、前板部63は、延長整地体31の折畳非作業状態時に整地体23の上面の被当接部67に当接して延長整地体31の閉方向への回動を規制する当接面66を有している。
【００４３】
そして、延長整地体31の取付部材62の前板部63が整地体23の取付部材45の前板部43に頭付きピン68を介して回動可能に取り付けられ、かつ、延長整地体31の取付部材62の後板部64が整地体23の取付部材45の後板部44に頭付きピン69を介して回動可能に取り付けられている。こうして、延長整地体31が整地体23の側端部に頭付きピン（回動支点Ｐ）68，69を中心として回動可能に取り付けられている。
【００４４】
また、連結板部65の上面における前後方向中央部には、ばね取付板71が上方に向かって突出するように固設されている。ばね取付板（ばね受け板）71は、丸孔形状に形成された円形孔部37を有し、この円形孔部37に引張ばね32の先端部である延長整地体側取付部34が挿入されて引っ掛けられている。なお、円形孔部37は、ばね取付板71の前後面に貫通した孔空間部分37aと、この孔空間部分37aの周囲に位置する孔周囲部分37bとにて構成されている。
【００４５】
さらに、前板部63の前面には、展開作業状態の延長整地体31の外端下限位置を調整するための調整板72が取付具（例えばボルトおよびナット）73によって回動調整可能に取り付けられている。調整板72は、四角板状をなすもので、４つの各辺の中央には、前板部63に前方に向かって突設した位置決め用のピン74と係脱可能に係合する凹部75が形成されている。
【００４６】
そして、調整板72は、延長整地体31の展開作業状態時に整地体23の整地側板42の外側面の被当接部76に当接し、この当接により延長整地体31の開方向への回動が規制される。
【００４７】
また、調整板72を回動調整してピン74が係合する凹部75を変更すると、展開作業状態の延長整地体31の外端下限位置が変わる（図６参照）。つまり、前板部63に対する調整板72の回動調整により、展開作業状態の延長整地体31の外端下限位置が複数段階、例えば４段階に調整可能となっている。
【００４８】
次に、上記農作業機11の作用等を説明する。
【００４９】
例えばプラウ耕等による荒耕し後に、農作業機11を用いて耕耘整地作業をする場合、農作業機11をトラクタの後部に連結し、そのトラクタの走行により農作業機11を前方に移動させる。
【００５０】
すると、耕耘体18が耕耘作業をし、その後方で整地体23が整地作業をする。また、整地体23の左右の両側方では、展開作業状態の延長整地体31が整地作業をする。
【００５１】
このとき、展開作業状態の延長整地体31が、圃場の未整地部の比較的大きな土塊に当たって、引張ばね32の付勢力に抗して回動支点Ｐを中心に閉方向へ回動したとしても、引張ばね32は、整地体側取付部33の位置（ばね掛け位置）がずれ、支点越え線Ａまで到達せず、回動支点Ｐに対して支点越えをしない。
【００５２】
その結果、延長整地体31は、引張ばね32の付勢力に基づいて、回動支点Ｐを中心に開方向へ回動して、もとの所望の展開作業状態に戻る。
【００５３】
このように、この農作業機11では、整地作業時において、展開作業状態の延長整地体31が圃場の土塊に押し戻されて折畳非作業状態に戻ってしまうことがない。
【００５４】
またここで、例えば作業終了後、作業者が延長整地体31を展開作業状態から折畳非作業状態に戻す場合について説明する。
【００５５】
図３（ａ）には、展開作業状態の延長整地体31が示されている。このとき、延長整地体31を展開作業状態に保持する引張ばね32の整地体側取付部33は、整地体23のばね取付板47の孔部36の第１角部53と係合し、背面視で回動支点Ｐよりも外側方に位置している。
【００５６】
そして、作業者がその延長整地体31を引張ばね32の付勢力に抗して持ち上げ、図４に示す支点越えの状態になるまで回動支点Ｐを中心に閉方向へ回動させる。
【００５７】
この図４に示す状態（引張ばね32の支点越え状態）では、引張ばね32の整地体側取付部33は、整地体23のばね取付板47の孔部36の第２角部54との係合位置から若干移動した位置で第２辺部57と係合し、背面視で回動支点Ｐと一致（略一致を含む）している。つまり、整地体側取付部33は、延長整地体31の回動に連動して第１辺部56に沿って上方へスライドすることによって、第１角部53の位置から第２角部54の位置まで移動（位置ずれ）し、その後、第２辺部57側に若干移動して図４に示す状態となっている。なお、整地体側取付部33が第２角部54と係合した際に、引張ばね32が支点越えするようにしてもよい。
【００５８】
そして、延長整地体31が図４に示す状態となり、引張ばね32が支点越え線Ａに達して支点越えをすると、延長整地体31は、引張ばね32の付勢力に基づいて、回動支点Ｐを中心に閉方向へ回動して図５に示す折畳非作業状態となる。
【００５９】
この図５に示す状態では、引張ばね32の整地体側取付部33は、整地体23のばね取付板47の孔部36の第３角部55と係合し、背面視で回動支点Ｐよりも内側方に位置している。つまり、整地体側取付部33は、延長整地体31の回動に連動して第２辺部57に沿って内側方へスライドすることによって、第２角部54の位置から第３角部55の位置まで移動（位置ずれ）する。
【００６０】
また、この図５に示す状態での引張ばね32の軸方向長さ寸法（自然長からの伸び量）は、図３に示す状態での引張ばね32の軸方向長さ寸法（自然長からの伸び量）よりも小さい。このため、引張ばね32が延長整地体31を折畳非作業状態に保持しようとする保持力は、引張ばね32が延長整地体31を展開作業状態に保持しようとする保持力よりも弱く、作業者は折畳非作業状態の延長整地体31を上方側へ軽く操作することが可能である。
【００６１】
換言すると、引張ばね32の整地体側取付部33が孔部36内で回動支点Ｐよりも外側方の位置から回動支点Ｐよりも内側方の位置まで移動するため、延長整地体31の折畳非作業状態時に引張ばね32が伸びすぎず、許容伸び量（許容変形量）を超えることがない。
【００６２】
なお、延長整地体31を折畳非作業状態から展開作業状態にするには、延長整地体31を引張ばね32の付勢力に抗して回動支点Ｐを中心に開方向へ回動させ、引張ばね32を支点越えさせればよい。
【００６３】
そして、このような農作業機11によれば、例えば作業時において展開作業状態の延長整地体31が圃場の比較的大きな土塊に当たっても、引張ばね32が支点越えをしないため、作業時に延長整地体31が折畳非作業状態に戻ってしまうのを防止できる。
【００６４】
しかも、延長整地体31がどの状態であっても、引張ばね32が許容伸び量を超えることがなく、引張ばね32による張力がかからなくなることもない。
【００６５】
また、引張ばね32の整地体側取付部33が、整地体23の三角孔形状の孔部36内に、回動支点Ｐを基準とする外側方位置および内側方位置間で移動するように移動可能に挿入されているため、作業時に延長整地体31が折畳非作業状態に戻ってしまうのを適切に防止できる。
【００６６】
さらに、整地体23の作業角度に応じて調整板72を回動調節して展開作業状態の延長整地体31の外端下限位置を調整できるため、種々の作業深さに適切に対応できる。
【００６７】
なお、上記第１の実施の形態では、整地体23のばね取付板47が取付部材45に固設された構成について説明したが、例えば図７ないし図９に示す第２の実施の形態のように、整地体23のばね取付板81が取付部材45の取付板部82に前後方向の軸83を中心として左右方向に回動可能に設けられた構成でもよい。
【００６８】
取付部材45の取付板部82には、引張ばね32が支点越えする際にばね取付板81が当接してこのばね取付板81の回動を規制する回動規制部84が突設されている。
【００６９】
また、ばね取付板81は、真っ直ぐな直線状（なお図示しないが、湾曲した曲線状でもよい）の長孔形状に形成された孔部86を有し、この孔部86に引張ばね32の整地体側取付部33が移動可能に挿入されて引っ掛けられている。
【００７０】
そして、この引張ばね32の整地体側取付部33は、延長整地体31の展開作業状態時には回動支点Ｐよりも外側方に位置し（図７参照）、延長整地体31の折畳非作業状態時には回動支点Ｐよりも内側方に位置する（図９参照）。
【００７１】
また、その引張ばね32が支点越えする際における水平方向に対する傾斜角度γは、９０度以上で、例えば略１０５度である（図８参照）。つまり、この引張ばね32は、少なくとも延長整地体31が展開作業状態から起立姿勢の状態（γが９０度の状態）になるまでの間の範囲で、支点越えしないようになっている。
【００７２】
そして、このような構成の第２の実施の形態でも、上記第１の実施の形態と同様の作用効果を奏することができる。
【００７３】
また、例えば図１０に示す第３の実施の形態のように、整地体23の取付部材45に固設されたばね取付板47に、左右方向に長手方向を有する長孔形状の孔部91が形成されており、この孔部91に引張ばね32の整地体側取付部33が移動可能に挿入された構成であっても、上記第１の実施の形態と同様の作用効果を奏することができる。
【００７４】
なお、いずれの実施の形態においても、例えば延長整地体31が起立姿勢の状態になった際に引張ばね32が支点越えするようにしてもよい。
【００７５】
また、例えば整地体23のばね取付板47が整地側板42或いは整地本体板41に直接固着された構成でもよい。
【００７６】
さらに、整地体23の多角孔形状の孔部36は、上部に傾斜状の上辺部を有した三角孔形状が好ましいが、この形状には限定されず、例えば他の三角孔形状や、四角孔形状等でもよい。
【００７７】
なお、本発明のいくつかの実施の形態およびその変形例について説明したが、本発明の要旨を逸脱しない範囲で、前記各実施の形態および各変形例を適宜組み合わせることも可能である。
【符号の説明】
【００７８】
11    農作業機
18    耕耘体
23    整地体
31    延長整地体
32    付勢体である引張ばね
33    整地体側取付部
34    延長整地体側取付部
36，86，91    孔部
53    外側方側角部である第１角部
55    内側方側角部である第３角部
Ｐ    回動支点
【図１】
2015202100.tif 000003
【図２】
2015202100.tif 000004
【図３】
2015202100.tif 000005
【図４】
2015202100.tif 000006
【図５】
2015202100.tif 000007
【図６】
2015202100.tif 000008
【図７】
2015202100.tif 000009
【図８】
2015202100.tif 000010
【図９】
2015202100.tif 000011
【図１０】
2015202100.tif 000012
【図１１】
2015202100.tif 000013